Podtech/llm-jp-corpus-v4-ja_patent huggingface dataset:
(57)【要約】【課題】内容物をノズルの形状に塗布するだけではなく、一工程で平滑に塗布することができ、速硬化性を有する接着剤、塗料、シーリング剤、その他の用途に用いることができるノズル及び該ノズル付き容器を提供する。【解決手段】ノズルの近接部位に、吐出物を平滑にできるヘラ部を配置することができ、該へラ部は可動性であり、かつ使用時にも非使用時にもノズルあるいは容器本体に保持することができるノズル及び該ノズルを備えた容器である。【選択図】図１
2008100705.tif 000002
【特許請求の範囲】
【請求項１】
吐出口の近接部位に、吐出物を平滑にできるヘラ部が配置され、該へラ部が可動性であり、かつ使用時にも非使用時にも保持されてることを特徴とするノズル。
【請求項２】
吐出口の近接部位に、吐出物を平滑にできるヘラ部が配置され、該へラ部が可動性であり、かつ使用時にも非使用時にもノズルあるいは容器本体に保持されていることを特徴とするノズル付き容器。
【発明の詳細な説明】
【技術分野】
【０００１】
本発明は内容物を吐出して塗布する際に、ノズルの形状に塗布するだけではなく、平滑にも塗布できる機能を有するノズル及び該ノズル付き容器に関する。
【背景技術】
【０００２】
建築現場や家庭内で接着剤等を使用する場合、チューブやカートリッジ等の容器から一旦ビード状に塗布し、必要に応じて改めてヘラ等を用いて平滑にするという二段階の工程を経なければならない。塗布、平滑化という二段階の工程が必要になると、単に手間がかかり面倒というだけではなく、例えば硬化が速い接着剤を使用する場合には塗布後に平滑にしている間に硬化が始まってしまい、貼り合わせが間に合わなくなるといった問題が発生する。このような問題の解決手段として、容器のノズルを平滑状にすることが考えられる。ただし、表面が粗い被着材を貼り合わせるような場合、接着剤をノズルの形状のままビード状に肉厚に塗布したい場合もあり、このようなケースには対応できない。また、平滑状に塗布できるノズルとビード塗布できるノズルを用意し、交換式とする方法も考えられるが、使用していないノズルの保管やノズルの交換の手間がかかり、好ましくない。
【０００３】
特許文献１には、ヘラ部を有する接着剤塗布容器用キャップが開示されている。これはノズル部から塗布した後、必要に応じてヘラ部を使用することにより接着剤を平滑化する機能を有していると解される。しかしながら、一工程で平滑塗布できるものではなく、前記問題を解決できるものではない。
【特許文献１】意匠登録第１１２０１４２号
【発明の開示】
【発明が解決しようとする課題】
【０００４】
本発明の課題は、内容物をノズルの形状に塗布するだけではなく、平滑にも塗布できるノズル及びそのノズルが付いた容器を提供することである。
【課題を解決するための手段】
【０００５】
吐出口の近接部位に、吐出物を平滑にできるヘラ部が配置され、該へラ部が可動性であり、かつ使用時にも非使用時にも保持されていることを特徴とするノズル及び該ノズル付き容器である。
【発明の効果】
【０００６】
本発明になるノズル及び該ノズル付き容器は、吐出口の近接部位にヘラ部を備えているため、内容物をノズルの形状に塗布するだけではなく、一工程で平滑に塗布することができる。また、ヘラ部は可動性であるため、平滑に塗布する必要がない場合にも邪魔にならない。従って、接着剤、塗料、シーリング剤、その他用途において、流動性内容物を平滑に塗布できる機能を備えた容器として有用である。
【発明を実施するための最良の形態】
【０００７】
本発明のノズル、容器はヘラ部を有することを特徴とする。ヘラ部の役割はノズルから吐出された内容物を塗布面上で平滑にすることである。本明細書における「平滑に塗布する」、「平滑にする」やこれに類する表現は、内容物をノズルで塗布した状態から塗り広げるという意味であり、ヘラ部を通過後の内容物が完全に凹凸がない状態となっていることを意味するものではない。従って、ヘラ部の形状としても平らなものだけではなく、くし目形状をしたものや、その他公知のものが採用できる。
【０００８】
ヘラ部は容器の大きさや塗布面積によるものの、吐出口の近接部位に配置できることが必要である。ヘラ部とノズルが近接していると、ノズルから吐出された内容物がヘラ部によってすぐに平滑に塗布される。ヘラ部とノズルが離れ過ぎている場合、塗り始めの部位、塗り終わりの部位や曲面部位での作業性が悪い。
【０００９】
また、ヘラ部は可動性を有することが必要である。本明細書において可動性を有するとは、ヘラ部を回転させる、折り曲げる、取り外す、その他の方法により、ヘラ部を使用しないときにはヘラ部を吐出口から遠ざけることができるという意味である。ヘラ部が固定されていると、内容物が常に平滑状態で塗布されることになり、ノズル形状のままビード塗布したい場合には対応できなくなるためである。また、ヘラ部を取り外し式にする場合に、ノズル、容器とヘラ部を別途保管する必要があると紛失する等の問題があるため、不使用時にもじゃまにならないように容器に保持できるようにする。例えば、吐出口の近接部位とノズルの根元のそれぞれにはめこめるような構造としても良い。
【００１０】
なお、ヘラ部はノズルに保持されていても良いし、容器本体に保持されていても良く、使用時にヘラ部と吐出口が近接すれば良い。
【００１１】
図１〜図３に示されるのは、回転式のヘラ部を有するノズルの例である。使用時には、例えばノズルを斜め下方に向けて塗布すると、吐出口から塗布された内容物がヘラ部によって平滑にされる。
【図面の簡単な説明】
【００１２】
【図１】容器の側面図（ヘラ部使用時）
【図２】容器の側面図（ヘラ部未使用時）
【図３】容器の正面図（ヘラ部使用時）
【符号の説明】
【００１３】
１  ノズル
２  ヘラ部
３  ヘラ部の回転軸
【図１】
2008100705.tif 000003
【図２】
2008100705.tif 000004
【図３】
2008100705.tif 000005
(57)【要約】【課題】  車輌を汚れや傷、火災、大雨等による災害から守るために、車輌全体を包み込めるシートカバーを提供する。【解決手段】  車輌全体を包むシートカバー（１）を広げ、車輌出入り口（２）から車輌を乗り入れ、後部にある上部を覆う上部シートカバー（３）を出入り口まで引き込み、ジッパー（４）を閉じてしまう方法、またはジッパーを取り付けてない車輌全体を包むシートカバー（１）を広げ、車輌出入り口（２）から車両を乗り入れ、出入り口の両端の角（５）を折りたたんでマジックテープ（６）で固定して箱状にし、後部にある上部を覆う上部シートカバー（３）を出入り口まで引き込んで、とめ具（７）で上下を固定して車輌全体を包みこむ。以上のことを特徴とする車輌全体を包むシートカバー。【選択図】図３
2008100661.tif 000002
【特許請求の範囲】
【請求項１】
車輌全体を包むシートカバー（１）を広げ、車両出入り口（２）から車輌を乗り入れ、後部にある上部を覆う上部シートカバー（３）を出入り口まで引き込んで、ジッパー（４）を閉じて車輌全体を包むシートカバー。（図１、図２）
【請求項２】
車輌全体を包むシートカバー（１）を広げ、車両出入り口（２）から車輌を乗り入れ、出入り口の両端の角（５）を折りたたんでマジックテープ（６）で固定して箱状にし、後部にある上部を覆う上部シートカバー（３）を出入り口まで引き込んで、とめ具（７）で上下を固定して車輌全体を包むシートカバー。（図３、図４、図５）
【発明の詳細な説明】
【技術分野】
【０００１】この発明は、車輌を駐車しておくときに使用する車輌全体を包むシートカバーに関するものである。
【背景技術】
【０００２】従来のシートカバーは上からかぶせるものやテントの中に車をいれておくものだった。
【発明の開示】
【発明が解決しようとする課題】
【０００３】これは、次のような欠点があった。
風の強い日は、シートカバーが捲れたり、はがされた。
雨の日は、車輌の下部が汚れ、大雨になると車輌の中にまで雨や泥水が入り車内を汚し電気系統にまで被害を及ぼして、車輌全体を災害から守れなかった。
本発明は、以上の欠点をなくすためになされたものである。
【課題を解決するための手段】
【０００４】シートカバーに弾力性をもたせたうえ防水、防火加工を施し、車輌がシートカバーに乗り入れられるように乗り入れ口を設け、乗り入れた車輌を下から上まで包み込めるようにする。
本発明は、以上の構成よりなる車輌全体を包むシートカバーである。
【発明の効果】
【０００５】車輌全体をシートカバーで包むことにより、車輌が汚れや傷、エンジントラブル、電気系統の故障等を災害（雨、雪、火災など）から守れる。
又、車輌全体を包むことにより車種の特定がしづらいことや、車内が見えないことで盗難防止にも役立つ。
【発明を実施するための最良の形態】
【０００６】以下、本発明を実施するための最良の形態について説明する。
防水、防火、防護加工を施したシートカバーにする。
空気が流れるように透湿、通気口を施したシートカバーにする。
仕上げに皮製品を使用したり、色、柄、文字などを組み合わせて独自性を出し、遠くからでも見分けやすくしたシートカバーにする。
ナンバープレイトを確認できるように窓を取り付け所有者の識別ができるようにする。
シートカバーの開閉口に鍵や防犯ブザーを取り付けられるようにする。
本発明は、以上のような構造でこれを使用するときは大雨洪水注意報が発せられた時や長期間駐車する場合など、また日頃より習慣として車輌の汚れや傷、盗難、災害に気をつけたい場合に使用するとよい。
【図面の簡単な説明】
【０００７】
【図１】  出入り口を開けた時の斜視図
【図２】  車輌を包んだ時の斜視図
【図３】  出入り口を開けた時の斜視図
【図４】  出入り口を畳んだ時の斜視図
【図５】  車輌を包んだ時の斜視図
【符号の説明】
【０００８】  １  シートカバー
２  車輌出入り口
３  上部シートカバー
４  ジッパー
５  出入り口の角
６  マジックテープ
７  とめ具
【図１】
2008100661.tif 000003
【図２】
2008100661.tif 000004
【図３】
2008100661.tif 000005
【図４】
2008100661.tif 000006
【図５】
2008100661.tif 000007
(57)【要約】      （修正有）【課題】広く利用されている車両のタイヤ及びタイヤチューブの空気入れ口（バルブコア）の根元をネジ式にすることにより色々な器具を装着できる。今まで固定された空気入れ口では、手を押さえて離すことが出来なかったが、器具をチャック式のバルブコアを使用することにより老人、身障者の方々にも便利である。【解決手段】車両のタイヤ１及びタイヤチューブの空気入れ口を今までの固定された器具から根元をネジ式器具Ａにすることにより改善される。【選択図】図１
2008100664.tif 000002
【特許請求の範囲】
【請求項１】
自動車、単車、自転車などの車両のタイヤ▲１▼の空気入れ口（バルブコア）の根元を色々な器具を使用出来るようにネジ式器具▲Ａ▼にする。
【請求項２】
自動車、単車、自転車などの車両のタイヤチューブ▲２▼の空気入れ口（バルブコア）の根元を色々な器具を使用出来るようにネジ式器具▲Ａ▼にする。
【発明の詳細な説明】
【技術分野】
【０００１】この発明はエアーを入れる時、手を使用せずエアーを入れることが出来る。
【背景技術】
【０００２】従来、タイヤ及びタイヤチューブの空気入れ口（バルブコア）は、固定されエアーを入れる時、手で押えなければいけなかった。
【発明の開示】
【発明が解決しようとする課題】
【０００３】これは、次のような欠点があった。
１、手で押さえていなければいけなかった。
本、発明は以上の欠点を解決するために作成した。
【課題を解決するための手段】
【０００４】タイヤ及びタイヤチューブの空気入れ口（バルブコア）の根元をネジ式にすることで解決した。
【発明の効果】
【０００５】本、発明は自動車、単車、自転車すべての車両に一早く対応できる。
【発明を実施するための最良の形態】
【０００６】以下、本発明の実施の形能について説明する。
１、タイヤ及びタイヤチューブの空気入れ口（バルブコア）の根元をネジ式にすることによりチャック式のバルブコアを装着したり出来る。
【実施例】
【０００７】タイヤとタイヤチューブである。
【図面の簡単な説明】
【０００８】
【図１】本、発明の平面図である。
【図２】本、発明の平面図である。
【図３】本、発明の部分図である。
【符号の説明】
【０００９】▲１▼タイヤ  ▲２▼タイヤチューブ  ▲Ａ▼根元のネジ式器具。
【図１】
2008100664.tif 000003
【図２】
2008100664.tif 000004
【図３】
2008100664.tif 000005
(57)【要約】【課題】  車両の中の自動車を例にとると、タイヤのスリップ防止策としては、スタッドレスタイヤとチェ−ン巻きタイヤに限られており、何れもスリップ防止効果が少ない。そこで吸盤の吸着力を利用して、滑り易い路面ほど損傷することなくスリップを防止する。【解決手段】  自動車、電車、車椅子などの車両のフレ−ムに選択図１に示す吸盤の吸着力を利用したスリップ制動機を取り付け、スリップした瞬間にレバ−３を引いて吸盤制動車輪５を道路面または線路面に接触させると、直ちに、多数の吸盤の吸着力により、スリップを止めながら路面を損傷することなく急停車させることができる。【選択図】図１
2008100662.tif 000002
【特許請求の範囲】
【請求項１】
路面を走行する車両に吸盤を取り付け、車両がスリップした時点で吸盤を路面に接触し吸着させ急停止できるようにしたスリップ制動機。
【発明の詳細な説明】
【発明の詳細な説明】
【０００１】  本発明は、自動車、電車などの車両に吸盤を取り付け、スリップした時点で道路面または線路面に吸盤を接触させ、吸盤の真空による吸着力を利用して急停車させるスリップ制動機であり、路面を損傷することなく、全ての車両に適用できる。
【０００２】  現在、自動車のスリップ防止には、スタッドレスタイヤが使用され、雪に対する制動効果はあるが、氷結した路面では容易にスリップしてしまう。そこで、タイヤにチェ−ンを巻くことになっているが、平滑に氷結した路面ではスリップを免れない。
【０００３】  ここでは、自動車にスリップ制動機を取り付けた場合を図１に示した。このスリップ制動機は、実線で示したレバ−３、可動支持棒４、吸盤制動車輪５から成り、これをフレ−ム２に取り付ける。このスリップ制動機の作用を説明すると、タイヤがスリップした瞬間にレバ−３を引っ張ると、連動して点線のように移動し、吸盤制動車輪５が路面と接触して吸盤の吸着力によって路面を損傷することなく急停車できる。
【０００４】  本発明によるスリップ制動機を車両に取り付けることにより、滑り易い路面ほど吸盤の密着性が良くなり、吸着力が増加して制動効果が高められ、スリップによる交通事故を大幅に減少させることができる。
【図面の簡単な説明】
【図１】自動車にスリップ制動機を取り付けた立面図と平面図である。
【図２】スリップ制動機のレバ−３と可動支持棒４の平面図と立面図である。
【図３】スリップ制動機の吸盤制動車輪の平面図と立面図である。
【符号の説明】
１．自動車の車体。
２．車体のフレ−ム。
３．スリップ制動機のレバ−。
４．スリップ制動機の可動支持棒。
５．スリップ制動機の吸盤制動車輪。
６．スプリング。
７．スリップ制動機の支持台。
８．路面。
【図１】
2008100662.tif 000003
【図２】
2008100662.tif 000004
【図３】
2008100662.tif 000005
(57)【要約】      （修正有）【課題】肩こり、腰痛、筋肉痛などの治癒に優れた効果のある膏剤温熱消炎シップ材を提供する。【解決手段】布体１の片面に膏剤２を塗布しその裏面には、カイロ布地を用いて袋部３を設けそこにカイロ材４を封入する、又はカイロ体を設ける、その膏剤の面には保護フイルム５を貼り、全体を密封袋６に入れて保管する。【選択図】図１
2008132286.tif 000002
【特許請求の範囲】
布体の片面に膏剤を塗布しその裏側には、カイロ布地を用いて袋部を設けそこにカイロ材を封入する、又はカイエロ体を設けたことを特徴とする膏剤温熱消炎シップ材。
【発明の詳細な説明】
【技術分野】
【０００１】  本発明は、肩こり、腰痛、筋肉痛などの治癒に優れた効果のある膏剤温熱消炎シップ材に関する。
【背景技術】
【０００２】  従来の温感消炎シップ材に於いては、肌に温度を感じさせるものとして主にトウガラシエキスが用いられて来た。
【発明の開示】
【発明が解決しようとする課題】
【０００３】  然しながら、このトウガラスエキス成分は肌に合わない人も居り、刺激で炎症を起こして使用できない人もいる、また皮膚に温感はあるものの体の中まで暖める効果は少ない。
【課題を解決するための手段】
【０００４】  布体の片面に膏剤を塗布しその裏側には、カイロ布地を用いて袋部を設けそこにカイロ材を封入する、又はカイロ体を設ける、その膏剤の面には保護フイルムを貼り、全体を密封袋に入れて保管する。
【発明の効果】
【０００５】  膏剤によるシップ効果とカイロの温熱効果が相乗して患部の治癒に非常に優れた効果がある、つまり、温熱で膏剤の成分が体内に浸透し患部の体内まで暖め温灸的効果がある、その治癒効果は頑固な肩こり、腰痛に、筋肉痛などに体験的に確実なものである。
【発明を実施するための最良の形態】
【０００６】  以下、本発明の実施の形態を図１、図２に基づいて説明する。【０００７】  図１於いて、布体１の片面に膏剤２を塗布し、その裏側にはカイロ布地を用いて袋部３を設ける、その袋部３の中にカイロ材４を封入する、また膏剤の表面には保護フイルム５を貼る、そして、この全体を密封袋６で保管する。【０００８】  図２は、カイロ材４を封入し、粘着面７を設けたカイロ体８を設ける、そして、粘着面７部を布体１の裏側に貼付けるようにしてもよい。
【図面の簡単な説明】
【０００９】
【図１】  本発明の構造を示す断面図である。
【図２】  カイロ体の一部開放斜視図である。
【符号の説明】
１  布体
２  膏剤
３  袋部
４  カイロ材
５  保護フイルム
６  密封袋
７  粘着面
８  カイロ体
【図１】
2008132286.tif 000003
【図２】
2008132286.tif 000004
(57)【要約】      （修正有）【課題】従来、皿と椀は食事の時に使用する単なる道具であり、食器の一つであった。食器文化として様々な銘木や陶磁器などの素材等で飾り付けはしていたが、希少価値のある食器ではなかった。【解決手段】皿（１）と椀（２）の一部に極めて希少価値の高いダイヤモンドを着ける事により、美しい宝石を着け、従来の食事道具の皿と椀は全く異なった食器道具に加え、極めて美的と希少価値の高い食器となった優れた発明であり、従来の食事道具とは全く異なった食器道具を提供できる。【選択図】図１
2008132287.tif 000002
【特許請求の範囲】
【請求項１】
ダイヤモンドを付けた皿。
【請求項２】
ダイヤモンドを付けた椀。
【発明の詳細な説明】
【技術分野】
【０００１】この発明は、食事に、使用する皿と椀にダイヤモンドを着けることに依り単に食事する為の道具の一つだった皿と椀が、大いなる美的、且つ多大な価値をもたらす画期的な発明である。
【背景技術】
【０００２】従来、食事に使用する皿と椀は単なる食事の時の道具の一つでしか無かった。
【発明の開示】
【発明が解決しようとする課題】
【０００３】従来、食事の時に使用する単なる道具の一つでしか無かった皿と椀に、ダイヤモンドと云う希少価値の高い宝石を着ける事により、食器文化を、より価値を高め、高貴な美術品としても、食事の道具としても価値的にも極めて美しく、希少価値のある食器となる。
【課題を解決するための手段】
【０００４】様々な木製や樹脂、陶磁器等の素材の皿と椀に、ダイヤモンドを着ける。
【発明の効果】
【０００５】従来、皿と椀は食器文化、道具の一つであり、様々な銘木や陶磁器などの素材等で飾り付けはしていたが、当発明により、ダイヤモンドという、極めて希少価値の高く美しい宝石を着ける事により、従来の食事道具の皿と椀は全く異なった食器道具に加え、極めて美的と希少価値の高い食器となった優れた発明である。
【発明を実施する為の最良の形態】
【０００６】以下、本発明の実施例について説明する。
様々な素材の皿（１）と椀（２）の一部に、ダイヤモンドを着ける。
【図面の簡単な説明】
【０００７】
【図１】本発明の皿（１）と椀（２）の全体図である。
【図２】本発明のダイヤモンドを着けた部分例の図である。
【符号の説明】
【０００８】１  通常使用時の皿にダイヤモンドを付けた例である。
２  通常使用時の椀にダイヤモンドを付けた例である。
〔符号の説明〕
〔０００９〕
１  皿の一部にダイヤモンドを付けた部分の例である。
２  椀の一部にダイヤモンドを付けた部分の例である。
【図１】
2008132287.tif 000003
【図２】
2008132287.tif 000004
(57)【要約】      （修正有）【課題】業務処理に用いる書類及び事務用品等を収納する小型キャビネットにおいて、業務を円滑に処理するため、その設置位置を容易に変更できるよう構成し、業務処理の効率化を図る。【解決手段】底面に複数のキャスター２を固着した小型キャビネット１の背面及び両側面に、その牽引に用いる牽引用の把手を着脱自在に枢着する把手取付部材を複数固着するが、その配置は把手を枢着するため、固着された把手取付部材が対とすることができるものであり、小型キャビネット１の自重、収納物の軽重、更には変更前の設置位置及び変更後の設置場所等に応じて、所望の位置まで牽引を容易にするため、前記複数の把手取付部材のうちから適切な一対となるものを選択できるようにした。【選択図】図１
2008132093.tif 000002
【特許請求の範囲】
【請求項１】
底面に複数のキャスター２を固着した小型キャビネット１の背面及び両側面に、その牽引に用いる把手３を着脱自在に枢着する複数の把手取付部材４を固着してなることを特徴とする牽引キャビネット。
【発明の詳細な説明】
【技術分野】
【０００１】
本発明は、業務処理に用いる書類及び事務用品等を収納する小型キャビネットの改良に関するものである。
【背景技術】
【０００２】
多数の人が来集する商店や事務所等においては、業務処理やこれらの客の応接などに充てる店舗、事務室などの空間をできるかぎり合理的に使用する必要がある。従って、その空間に配置される什器・備品の設置位置は、その業務環境に好適であるよう選択されるが、業務環境は変化することを避けられず、従前の選択が不適当となったときに容易に変更できることが求められる。のみならず、該配置を変更するのではなく、臨時に必要となった書類等を容易に取出し、効率よく処理することができれば極めて便利であり、業務の適切な運用に有効である。更に、企業において人事配置は等閑視できない事柄であるが、担当者の交替の都度、該担当者に係る担当業務に用いる什器・備品全ての配置を変更することは真に無駄な労力となるから、必要最小限の物品の移動により、人事配置替えに対応できれば、極めて合理的である。これらの改良は、結局店舗、事務室省スペース化に資することにもなる。しかし、従来これを解決する手段について有効な提案はされていない。
【特許文献１】特開２００１−３０９８２１号公報
【発明の開示】
【発明が解決しようとする課題】
【０００３】
解決しようとする問題点は、日常の業務処理に用いる書類及び事務用品等を収納する小型キャビネットの移動を容易にし、事務処理の停滞を防止し、併せて執務空間の省スペース化を図ることにある。
【課題を解決するための手段】
【０００４】
日常の業務処理のため頻繁に用いる書類及び事務用品等は、執務者の近傍に設置される小型のキャビネットに収納されることが一般である。例えば、執務机又は応接用テーブルの天板下若しくは脇に設置すれば、必要時に必要物を即座に取出すことができ、事務処理に遅滞が生じないし、或いは能率よく応接にあたることを可能にし、来訪者を待たすなどの不手際を避けることができる。従って、業務環境の変化等による執務室内の模様替えに伴い、該キャビネット設置位置の変更を要する場合、又は業務担当者の交代などの際、該小型キャビネットのすべての収容物の移し替えを行うことなく、後任者に必要な品物のみを残し、他は従前の担当者とともにキャビネットごと移動させれば足りるような場合などの際、該キャビネットが容易に移動できるものであれば、効率よく処理できる。
【発明の効果】
【０００５】
本発明の牽引キャビネットは、手動により牽引できるので、前記設置位置の変更を行う場合容易に移動でき、移動が終了すれば直ちにその収容物を執務に用いることが可能となり、業務の停滞を防止できるという利点がある。
【発明を実施するための最良の形態】
【０００６】
本発明の牽引キャビネットは、設置位置が執務机の天板下の場合、脇である場合或いは応接用テーブルの天板下である場合など、それぞれの用途の相違によって所定の設置位置より、容易に牽引、移動することができるように、小型キャビネットの底面に複数例えば３乃至４個のキャスターを固着し、背面及び両側面に複数の把手取付部材を固着し、該把手取付部材のうち一対となるものを選択し、着脱自在に把手を枢着できるように構成した。
【実施例１】
【０００７】
図１は、本発明に係る牽引キャビネット実施例の概要を示す斜視図、図２は把手取付部材４の形状の１例を示す（ａ）は正面図、（ｂ）は側面図、図３（ａ）、（ｂ）は把手３の平面形状の例を示す平面図、図４は牽引形状の１例を示す説明図である。小型キャビネット１は、金属製、木製又は合成樹脂製等のものを用いることができ、図１に示すように底面に複数のキャスター２を固着するが、前記用途の相違により、設置位置を直線的に移動させる場合を想定し、例えば後部に固着するものは進行方向自在の、前部に固着するものは固定のものを用いるなど適宜選択してよい。また、同図に示すように小型キャビネット１の背面及び両側面に複数の把手取付部材４を固着するが、その数及び位置はまず把手３を着脱自在に枢着するため一対とすることができるものであるように配置し、次に小型キャビネット１の自重及び収納物の軽重、更に変更前の設置位置及び変更後の設置場所等を考慮し、牽引を容易にするため把手３の枢着位置を選択できるよう複数対に構成した。該把手取付部材４の形状の１例を図２に示したが、もとよりこれに限定されるものではなく、例えば把手３を回動自在に挿入し枢着する枢着孔５を正面及び側面に穿設し、固着用のビス孔６を正面に穿設する。把手３の形状は、図３にその例を示したが、同図（ａ）に示すように両先端を内側に屈曲し、又は（ｂ）に示すように両先端を外側に屈曲し、屈曲部７を形成し、該屈曲部７を前記枢着孔５に挿入できるようにした。
【産業上の利用可能性】
【０００８】
キャビネットを構成する材質や収納対象物が軽い場合には、小型キャビネットに限らず、比較的大型のキャビネットにも適用できる。この場合、把手取付部材４の固着位置を適宜選択する。
【図面の簡単な説明】
【０００９】
【図１】牽引キャビネット実施例の概要を示す斜視図である。
【図２】把手取付部材４の形状の１例を示す（ａ）は正面図、（ｂ）は側面図である。
【図３】（ａ）、（ｂ）は把手３の平面形状の例を示す平面図である。
【図４】牽引形状の１例を示す説明図である。
【符号の説明】
【００１０】
１    小型キャビネット
２    キャスター
３    把手
４    把手取付部材
５    枢着孔
６    ビス孔
７    屈曲部
【図１】
2008132093.tif 000003
【図２】
2008132093.tif 000004
【図３】
2008132093.tif 000005
【図４】
2008132093.tif 000006
(57)【要約】  【課題】    構成が簡単で使用し易く、ワンタッチで使用出来て、使用時はもちろん、不使用時には、別の利用可能で、保管がし易く、美感とバリエーションに富んでいるマグネット袋の止め具を提供する。  【解決手段】    マグネット袋の口止め具（１）であって、袋の口が袋の口止め具の中央部分の穴（３）に収め入れ易くする為に、袋の口止め具（１）の中央部分入り口に隙間（２）を設け、収め入れた袋の口が動いて外れたり逆戻りしない為の、袋の口止め具（１）の中央、穴（３）の内側上部に設けられている下向きの突起（４）とから構成される。    【選択図】図１
2008132995.tif 000002
【特許請求の範囲】
【請求項１】
マグネットの、袋の口止め具の中央上部に袋の口を入れる為の隙間（２）があり、中央部分の穴（３）の内側上部に収め入れられた袋の口が逆戻りしたり、左右に動いたりしない為の下向きの突起（４）がある事を特徴とするマグネット袋の止め具。
【発明の詳細な説明】
【技術分野】
【０００１】
本発明は、マグネット袋の口止め具に関し、通常は、袋の口止め具として簡単に取り付け取り外しが出来るものとして使用、不使用時は、ホワイトボードや冷蔵庫等のスチール面に、紙片等の押えとして別利用、保管出来るマグネット袋の口止め具に関する。
【背景技術】
【０００２】
袋の口を止めるのに、合成樹脂等の小さな物で、取り付け取り外しに面倒で時間がかかったり、袋の口を止め具に入れても、袋の口がしっかり止まって固定されないゆるい物だったり、布製のリボンで美感はあるが、針金を使用しなければならない為取り付け取り外しが時間がかかり再使用しにくい物等が広く一般に用いられている。
【発明の開示】
【発明が解決しようとする課題】
【０００３】
上記した袋の口止め具は、小さ過ぎて使いにくかったり、針金等再使用しにくかったり、使用するのに手間と時間がかかり、袋の口がしっかり固定されない為に、すぐに外れてしまったり、保管して置いても紛失しやすいかったり、再使用しても、使い心地がわるかったりする。
【０００４】
本発明は、このような事情に鑑み創案されたもので、使用時に、短時間で使えて、使い易く、美感があり、バリエーションの幅が広く再使用可能で、袋の口止め具として不使用時も、別利用出来て、保管もし易いマグネット袋の口止め具を提供するものである。
【課題を解決するための手段】
【０００５】
上記の目的を達成する為、本発明に係わるマグネット袋の口止め具は、マグネットを、蝶型等の形状にし、その形状の中央上部に袋の口を入れる為の隙間を設け、中央部分に袋の口を収め入れる為の穴があり、その穴の内側上部に、収め入れられた答の口が逆戻りしたり左右に動かない様にする為の下向きの突起がある事を特徴とする。
【０００６】
本発明によれば、蝶型等の形状が、手の指にフイットする大きさ出来ている為、袋の口止め具を使用する際、とても楽に袋の口を袋の口止め具の中央に収め入れ易く、又、袋の口を外す時も容易に簡単に、外す事が出来る。
【０００７】
又、袋の口を、袋の口止め具中央の穴に収め入れた時、袋の口止め具中央の穴の内側上部に、収め入れた袋の口が逆戻りしたり袋の口がしっかり止められて動かない為の突起がある為、袋の口は、しっかりと、袋の口止め具中央に収め入れられて、袋の口が動いたり抜け外れたりしない。
【０００８】
袋の口止め具を使用していない時はマグネットになっている為、ホワイトボードや冷蔵庫表面の様なスチール面に止着して保管出来、止着して置いても形状が蝶型等になっているので美感があり、メモ用紙等の紙片を止着して、利用出来る。
【発明の効果】
【０００９】
本発明によれば、構成が簡単で袋の口止めとして使用し易く、袋の口止めとして使用時も、不使用時も利用価値があり、保管が簡単で、美感とバリエーションに優れているマグネット袋の口止め具を提供することができる。
【発明を実施するための最良の形態】
【００１０】
以下、本発明の実施の形態について、図を参照して説明する。
【００１１】
図１には、本実施形態のマグネット袋の口止め具１の全体が示めされている。
【００１２】
このマグネット袋の口止め具（１）は、袋の口を収め入れる為の隙間（２）と、袋の口が
収め入れられる穴（３）の内側上部の突起（４）とから構成されている。
【００１３】
マグネット袋の口止め具（１）、種々の色彩に着色したりデザインとして、種々の絵や図柄を、プリントして用いられる。
【産業上の利用可能性】
【００１４】
マグネット袋の口止め具（１）は、構成が簡単なので量産し易く、袋の口止めとして商品に使用する事により、商品に美感とバリエーションを与え販売促進商品とする事が可能である。
【００１５】
このマグネット袋の口止め具（１）が、利用され商品と一体となっている商品を買い求めた消費者は、このマグネット袋の口止め具（１）を、再使用する事が出来て美感も良く、利用価値が高く、便利性に富んでいる為、再度、このマグネット袋の口止め具（１）を買い求め様とする気持ちが高まる。
【００１６】
本発明は、構成が簡単で、美感とバリエーションの幅が広く使用時、不使用時のいずれにも役に立ち、使い心地が良く容易で、しかもワンタッチで取り付け、取り外しが可能なマグネット袋の口止め具である。
【図面の簡単な説明】
【００１７】
【図１】本発明に係わる、マグネット袋の口止め具を示す平面図である。
【図２】本発明に係わるマグネット袋の口止め具の他の形状を示す平面図である。
【図３】本発明に係わるマグネット袋の口止め具を、袋の口止めとして使用していることを示す参考図である。
【図４】本発明に係わるマグネット袋の口止め具を、袋の口止めとして使用しないで、マグネットとして紙等の押えとして使用していることを示す参考図である。
【符号の説明】
【００１８】
（１）マグネット袋の口止め具  蝶型
（２）隙間
（３）中央部分の穴
（４）下向きの突起
（５）メモ用紙
（６）スチール面
【図１】
2008132995.tif 000003
【図２】
2008132995.tif 000004
【図３】
2008132995.tif 000005
【図４】
2008132995.tif 000006
(57)【要約】【課題】構成が簡単で使用し易く、ワンタッチで使用出来て、取り付け、取り外しが容易で再使用も、最初の使用時と変わりなく使用出来る為、自分流の利用が可能で、美感とバリエーションに富んでいるリボン型袋の口止め具。【解決手段】合成樹脂、硝子、金属等で出来ているリボン型袋の口止め具（１）であって、袋の口が袋の口止め具の中央部分の穴（３）に収め入れ易くする為に、袋の口止め具（１）の中央部分入り口に隙間（２）を設け、収め入れた袋の口が動いて外れたり逆戻りしない為の袋の口止め具（１）の中央部分の穴（３）の内側上部に設けられている下向きの突起（４）とから構成される。【選択図】図１
2008132996.tif 000002
【特許請求の範囲】
【請求項１】
リボン型（１）中央上部に袋の口を入れる為の隙間（２）があり、リボン型の中央部分の穴（３）の内側上部に、収め入れれた袋の口が逆戻りしたり、左右に動いたりしない為の下向きの突起（４）があることを特徴とするりボン型袋止め具。
【発明の詳細な説明】
【技術分野】
【０００１】
本発明は、リボン型の袋の口止め具に関し、一気に袋の口を袋の口止め具に取り付け、取り外しが出来るリボン型袋の口止め具に関する。
【背景技術】
【０００２】
袋の口を止めるのに、リボン型の物は、布製や紐の物で、布製のリボンに針金を取り付け、その針金で、袋の口を止めるという物が用いられている。
【発明の開示】
【発明が解決しようとする課題】
【０００３】
上記した袋の口止め具は、布製や紐のリボンに針金を取り付けて、その針金で袋の口を止めている為、針金をリボンに取り付けたり袋の口を、その針金で止めたりするのに、とても時間がかかり、一回使用後に、再使用しようと思っても、針金が細くなったり曲がったりして、再使用がしにくい。
【０００４】
本発明は、このような事情に鑑み創案されたもので、取り付け、取り外しが容易で、短時間で使用出来、しかも再使用時も、最初の使用と変わらず出来るというリボン型袋の口止め具を提供するものである。
【課題を解決するための手段】
【０００５】
上記の目的を達成する為、本発明に係わるリボン型袋の口止め具は、合成樹脂や硝子、金属等をリボン型にして、その形状の中央上部に袋の口を入れる為の隙間を設け、中央部分に袋の口を収め入れる為の穴があり、その穴の内側上部に、収め入れられた袋の口が逆戻りしたり左右に動かない様にする為の下向きの突起がある事を特徴とする。
【０００６】
本発明によれば、リボン等の形状が、手の指にフイットする大きさで出来ている為、袋の口止め具を使用する際、とても楽に袋の口を袋の口止め具の中央に収め入れ易く、又、袋の口を外す時も容易に簡単に、外す事が出来る。
【０００７】
又、再使用が可能で、何回でも、最初の使い心地と同じく使用出来る。
【発明の効果】
【０００８】
本発明によれば、構成が簡単で、袋の口止め具として使用し易く、取り付け取り外しが短時間で出来て、美感とバリエーションに勝れ、再使用時も最初の使用心地と変わらないので、何回でも使用可能なリボン型袋の口止め具を提供することができる。
【発明を実施するための最良の形態】
【０００９】
以下、本発明の実施の形態について、図を参照して説明する。
【００１０】
図１には、本実施形態のリボン型袋の口止め具（１）の全体が示めされている。
【００１１】
このリボン型袋の口止め具（１）は、袋の口を収め入れる為の隙間（２）と袋の口が収め入
れられる穴（３）の内側上部の突起（４）とから構成されている。
【００１２】
リボン型袋の口止め具（１）は、合成樹脂や硝子、金属等の種々の色彩で、種々の絵や図柄を付けてバリエーションを楽しむ事が可能である
【産業上の利用可能性】
【００１３】
リボン型袋の口止め具（１）は、構成が簡単なので量産し易く、安価で袋の口止め具として、取り付けがし易く、商品に取り付ける事により、商品に美感とバリエーションを与え、販売促進商品とする事が可能である。
【００１４】
又、再使用が可能な為、買い求めた後、消費者が自分の利用に再度、使う事が出来る。
【００１５】
本発明は、構成が簡単で、美感とバリエーションの幅が広く、再使用する際、取り付け、取り外しが楽で、簡単にワンタッチで使用出来るリボン型袋の口止め具である。
【図面の簡単な説明】
【００１６】
【図１】本発明に係る、リボン型袋の口止め具を示す平面図である。
【図２】本発明に係るリボン型袋の口止め具を、袋の口止めとして使用していることを示す参考図である。
【符号の説明】
【００１７】
（１）リボン型袋の口止め具  
（２）隙間
（３）中央部分の穴
（４）突起
【図１】
2008132996.tif 000003
【図２】
2008132996.tif 000004
(57)【要約】【課題】本件は大手資本を持つ企業に対し、衰退する地域経済を低予算で独自の情報発信媒体を持つことにより専門情報の提供、顧客誘導、顧客させ地域経済を活性化する為のビジネスモデルです。【解決手段】低予算で情報を公開できる携帯情報検索システムを構築し、契約された店舗やイベント関係業務企業などから掲載される情報を一元化し、閲覧者が検索機能にて情報を取得でき、ＧＰＳ機能での目的地への案内、形態決済サービスの利用を機能を使用して、情報の取得から誘導、遊客、購入までの一連の流れを整えることで地域経済の活性化を行います。【選択図】図１
2008146613.tif 000002
【特許請求の範囲】
【請求項１】
独自の情報発信媒体を持つことにより専門情報の提供、顧客誘導、顧客させ地域経済を活性化する為のビジネスモデル。
【請求項２】
情報伝達の実施手段として、携帯電話通信機能、携帯電話対応型情報検索システム携帯電話ＧＰＳ機能、携帯電話決済サービスを利用する。
【発明の詳細な説明】
【発明の詳細な説明】
【０００１】本件は大手資本を持つ企業に対し、衰退する地域経済を低予算で独自の情報発信媒体を持つことにより専門情報の提供、顧客誘導、顧客させ地域経済を活性化する為のビジネスモデルです。
【現状の課題】
【０００２】現在、商店街などの小売り店舗は大手企業の大規模販売の影響で閉店する傾向が多く、販売促進の予算、手段共に限られ、地域経済衰退などの社会問題にもなっている現状です。それで販売につながる情報をどのように伝達させ、地域経済を活性化させることを課題と致します。
【課題を解決させる為の手段】
【０００３】以上の課題を解決するためにまず低予算で情報を公開できる携帯電話情報検索システムを構築します。情報は契約された店舗やイベント関係業務を行う企業から直接情報を更新していただくことにより、より専門的で詳細な情報を集めることができます。
【０００４】閲覧者は携帯電話検索システムから検索機能で欲しい情報を検索していただき、目的の情報を取得します。表示された情報には住所、連絡先、取り扱い情報、営業時間、などの情報を取得できます。
【０００５】表示された情報の住所は携帯電話ＧＰＳ機能に対応するプログラムを設置し、目的地までの誘導を行います。また目的地では携帯電話支払いサービスを利用します。
誰もが所有している携帯電話を使用し、情報の検索、誘導、支払いまでの流れを構築することで地域経済の活性化をはかります。
【発明を実施する為の最良の形態】
【０００６】以下、図面を用いて、本発明におけるビジネスモデルの実施の形態について説明する。
図１は、本発明の実施の形態に係る系統図である。情報を掲載する者は本サービスと契約し、加盟店３となります。本機能の携帯電話情報検索システム１を利用し、掲載したい情報を更新します。閲覧者２は本サービスの検索システムを利用し目的情報４を取得いたします。閲覧者２は目的情報４から取得した携帯ＧＰＳ機能を利用し目的地５への案内に従います。目的地５では携帯電話支払いサービスを利用し、商品６の代金を支払いすることができます。
【発明の効果】
【０００７】情報を告知したい加盟店３の専門情報を一元化し、閲覧者２への情報の提供を行い誘導、支払いまでの流れを構築することで販売促進し、地域経済を活性化させます。加盟店３は情報を常に更新することができますので顧客のニーズの把握にもつながります。以上のように情報発信媒体を持ち、少ない予算で加盟店３は情報を告知し、閲覧者２は目的の情報を得ることで情報の信頼性をあげ、情報発信媒体の価値が上がり地域活性化につながります。
【産業上の利用可能性】
【０００８】平成１９年１月より本ビジネスモデルは富山市中心商店街情報サイトでの実施を行います。また、本ビジネスモデルは全国各地の活性化させたい地域、各種イベントなどでも使用することが可能です。
【図面の簡単な説明】
【０００９】
【図１】本発明の実施の形態に係る情報の流れである。
【符号の説明】
【００１０】１．携帯電話情報検索システム    ２．閲覧者    ３．加盟店    ４．目的情報    ５．目的地    ６．商品
【図１】
2008146613.tif 000003
(57)【要約】【課題】従来の競売代金の決済は、落札者決定後、速やかに落札者が提示した金額により競売代金を出品者に支払うことを前提としている。従って、入札の段階で落札に必要な資金手当をしておく必要がある。少額物件の場合、その資金手当を出来る者も多いが、高額になるほど競売に参加できる者は限られてくる。【解決の手段】競売代金の決済に金融機関からの与信が利用できるときは、競売参加者は著しく増加することが期待でき、競売参加者の増加により競売価格の上昇が期待できる。そこで、決済代金に金融機関からの与信を利用を関係者が同意することで、競売制度が円滑に運営されることが期待される。しかし、金融機関に申し込んでも与信が受けられないときも考えられ、その可否が決定する間、関係者は不安定な時間を過ごすことになる。その不安感を最小限に抑えるため、入札参加者の身分を明らかにし、金融機関の与信の利用する時、予め応札者自身の資金繰りを明確にしている場合に限ることで、その不安感を最小限度に押さえることができる。【特許請求の範囲】
【請求項１】
競売落札代金の決済資金の手当に、応札者が金融機関に与信を申込み、その承認を前提として応札することを承認する制度。
【請求項２】
落札者が前項の競売制度の信用を補完するため、事前に、応札者の身分並びに資金状況を競売運営会社に届けでる制度。
【請求項３】
応札者の身分等にかかる個人情報は、落札時など必要に時に限り運営会社から競売物件の出品者など、関係者に知らせる制度。
【請求項４】
万一、優先的に購入することの出来る上位順位者の落札者が金融機関からの与信が受けられないとき、第二順位者に優先的購入する権利が譲り渡されることを、次順位者も理解の上で競売に参加する制度。
【請求項５】
応札者の資金繰り等の情報が届けられていないときは、決済代金の支払に金融機関の与信を利用しても良いとする競売に参加できない制度。
【発明の詳細な説明】
【技術分野】
【００１】本発明は、競売代金決済に与信が未確定な融資を利用することを前提とした、競売制度に関するもの。
【背景技術】
【００２】従来、競売に当たっては、入札完了時に最高額を提示し優先的に購入する権利を得た者が、競売物件の出品者から、自分が提示した金額を以て、入札完了後速やかに現金により決済することが予定されている。【００３】落札想定金額が比較的少額の場合は、予めその落札予定額を準備することが概ね可能である。【００４】落札予定金額が高額で、事前に資金準備が出来ない場合は、原則として競売に応札することが出来ず、応札者が限られてくる。
【発明が解決しようとする課題】
【００５】そこで関係者が同意の上、競売落札物件の落札者が確定したとき、落札者が速やかに金融機関に与信の申込を行い、受けた融資により決済することを前提に、競売に出品し応札する制度的承認する。
【００６】この場合、入札者の信用状態如何により与信が受けられないことも想定され、折角の競売が不成立になる危険性が予想される。従来、そのことが競売決済金の支払に金融機関の融資が受けられることを条件とすることが取られなかった大きい理由である。
【課題を解決するための手段】
【００７】競売代金の決済に、落札者が金融機関から受ける融資を前提とすることを、競売前に明示し、多少のリスク発生を関係者が合意の上競売に参加する。
【００８】金融機関からの融資により落札代金の決済を希望する入札者の信用状況にかかる不安感を軽減するため、入札者の身分証明を予め登録したとき、競売に参加を承認する。
【００９】金融機関からの融資により落札代金の決済を行い得る入札者の信用状況にかかる不安感を軽減するため、現実に与信を受けるときに必要な応札者の資金繰り情報等を予め登録し、競売に参加を承認する。
【０１０】これらの応札者の身分や資金繰りなど、個人情報に深く関わる資料は、競売運営会社が保管し、必要に応じて関係者に明示する制度を設ける。
【発明の効果】
【０１１】金融機関からの与信を利用して競売物件を購入出来る場合、競売物件が不動産など高額の物件であっても、資産家以外の大衆も参加できるので、競売市場の拡大が望める。
【０１２】金融機関の与信による決済を前提とする競売であっても、応札者の身分が明らかであり、資産状況も必要に応じて知りうる状況にあることで、競売にも安心して出展参加できる。
【発明を実施するための最良の形態】
【０１３】不動産価格の決定の多くが、売却価格提示方式により大勢を占めているものの、競売方式による価格決定の方が、透明性、納得性、公明性に優れている。しかし、現在の競売方式のままでは一部の資産家の利用に占められ、大衆の参加が著しく阻害されている。この競売に多少の運営上のリスクが伴うことを関係者が了解の上で、リスクを分担して金融機関による与信の利用の道が開けることで、競売方式が廣く活用できる機会が増え、多くの人が参加できる。【０１４】今回の制度は、総ての競売方式にこの金融機関からの与信により競売代金の決済に利用するのでなく、関係者の同意有る場合に限ることで、制度の円滑な運営が期待できる。
【実施例】
【０１４】株式会社  日本情報システムが運営するインターネットのサイト、「不動産オークション・ドットコム」においては、この与信の利用を前提とした不動産オークション制度を採用している。
(57)【要約】【課題】遠隔地より温度・湿度の監視・制御を行うシステムを安価に構築する。【解決手段】温度・湿度センサー、リモコン信号記録装置、リモコン信号発信装置、ＵＳＢインターフェースを小型・一体化した装置を、ユーザーがすでに所有しているパソコン、携帯電話、エアコン、加湿器、除湿機と組み合わせることにより、初期投資、ランニングコストとも安価にシステムの構築を行う。情報、操作コマンドの送受信はメールの送受信で行うため、外部専用サーバーも不要であり、ランニングコストの削減となる。【特許請求の範囲】
【請求項１】
温度・湿度センサー、リモコン信号記録装置、リモコン信号発信装置、ＵＳＢインターフェースを小型・一体化した装置。
【請求項２】
ユーザーが所有しているパソコン、メールアドレス、携帯電話、エアコン、加湿器、除湿機に、請求項１の装置を追加することにより、遠隔地から温度・湿度の監視、適正制御が可能となるシステムを安価に構築する方法。エアコン、加湿器、除湿機の制御は、請求項１の装置に事前に記録させたリモコン信号を発信することにより行うため、メーカーを問わず、リモコンで動作する機器であれば制御可能であり、汎用性が高く、安価なシステムの構築が可能となる。
【請求項３】
加湿不要であれば加湿器無し、除湿不要であれば除湿機無し、温度制御不要であればエアコン無し、遠隔制御不要であれば携帯電話無しのシステム構成が可能であるため、ユーザーのニーズに合わせた最小構成とすることにより、さらにコスト削減が可能となる。
【請求項４】
携帯電話のメールで情報、操作コマンドの送受信を行うため、電子機器の操作に不慣れなユーザーでも安易・確実にシステム制御が可能となり、また、外部専用サーバーの契約が不要であるためランニングコストも安価となるシステム。
【発明の詳細な説明】
【技術分野】
【０００１】本発明は、遠隔地の温度、湿度情報を入手し、適正に保つためのシステムを安価に構築する方法と、システムの中核となる小型機器に関する。
【背景技術】
【０００２】温度を適正に保つためには、エアコンを適正に設定し、常時運転させればよい。湿度を適正に保つためには、加湿器、除湿機を必要に応じて運転すればよい。大手エアコンメーカーからは、部屋の温度を監視し、適正に保つ空調システムが販売されている。
【発明の開示】
【発明が解決しようとする課題】
【０００３】温度を適正に保つためにエアコンを常時運転するのは大変コストがかかる。また、エアコン使用により、湿度の低下が発生し、適正湿度を保つことが困難な場合がある。大手エアコンメーカーの空調システムはランニングコストは安くなるが、システム自体が高額である。また、外部専用サーバーの契約を必要としており、電子機器、インターネットに不慣れなユーザーには操作が困難である。
【課題を解決するための手段】
【０００４】請求項１の装置を、ユーザーがすでに所有しているパソコン、携帯電話、エアコン、加湿器、除湿機と組み合わせることにより、安価に遠隔地からの温度・湿度情報入手、適正制御が可能となるシステムを構築する。【０００５】エアコン、加湿器、除湿機の制御は、請求項１の装置に事前に記憶させたリモコン信号によって行う。【０００６】加湿不要であれば加湿器無し、除湿不要であれば除湿機無し、温度制御不要であればエアコン無し、遠隔制御不要であれば携帯電話無しでシステムを構築する。【０００７】携帯電話のメールで情報、操作コマンドの送受信を行う。
【発明の効果】
【０００８】本発明によれば、システム構築の費用は、請求項１の装置の費用のみであり、システムのランニングコストは、パソコンの常時運転の電力分の電気代のみとなるため、従来の方法よりも格段に安価となる。【０００９】本発明では、機器の制御を、請求項１の装置に事前に記憶させたリモコン信号によって行うため、機器のメーカーを問わず利用可能であり、コスト削減が可能である。【００１０】本発明では、システム構成を、ユーザーのニーズに合わせた最小構成とすることが可能であるため、さらなるコスト削減が可能である。【００１１】本発明において、ユーザーが遠隔地で操作するのは、携帯電話のメールの送受信のみであるため、電子機器の操作に不慣れなユーザーであってもシステム制御を確実に行うことが可能となる。
【発明を実施するための最良の形態】
【００１２】ＵＳＢインターフェースを内蔵したワンチップマイコンと、小型の温度・湿度センサー、赤外ＬＥＤ、フォトダイオードを小型にパッケージし、適切な制御用ソフトウェアとセットでユーザーに提供することにより、本発明を実施することができる。